(57)【特許請求の範囲】
【請求項１】
ロードビームの先端部に、板ばねによって形成されたフレキシャを介して、記録媒体に対向するヘッド本体が支持されている磁気ヘッド装置において、
前記ロードビームの先部には、記録媒体に対して垂直な方向へ折り曲げられた垂直折曲面と前記垂直折曲面から折り曲げられて記録媒体に平行な平行折曲面とが設けられていて、前記平行折曲面の一部分がフレキシャを固定支持するための取付面となっており、
前記フレキシャはロードビームに固定される支持面及びヘッドが取付けられるヘッド取付け面並びに前記支持面と前記ヘッド取付け面を繋ぐ弾性変形可能な腕部を有しており、
前記フレキシャの前記支持面には複数の固定爪が設けられて、前記固定爪が前記ロードビームの取付面に掛止されて前記フレキシャが前記ロードビームに固定され、
さらに、前記ロードビームの前記垂直折曲面から前記取付面よりも下方へ延びて前記フレキシャのヘッド取付け面の上面を支持する当接部が設けられており、前記フレキシャに取付けられた前記ヘッド本体が前記当接部の頂点を支点として揺動自在に支持されていることを特徴とする磁気ヘッド装置。
【請求項２】
前記当接部の頂点、ヘッド取付面の重心およびヘッド本体の中心が一直線上に揃えられている請求項１記載の磁気ヘッド装置。
【請求項３】
前記フレキシャを真上から見たときに、前記固定爪と、フレキシャに固定されたヘッド本体とが重ならない位置に設けられている請求項１又は２記載の磁気ヘッド装置。
【請求項４】
前記取付面と前記フレキシャに位置決め孔が形成されており、前記位置決め孔が合わされてフレキシャが取付面に位置決めされて固定される請求項１ないし３のいずれかに記載の磁気ヘッド装置。
【請求項５】
前記フレキシャの前記ヘッド取付面の端部に立ち上り片が形成され、前記ロードビームの端部に形成された突片が前記ヘッド本体の上面と前記立ち上り片との間に位置することにより前記ヘッド本体の傾き量が規制される請求項１ないし４のいずれかに記載の磁気ヘッド装置。
【発明の詳細な説明】
【０００１】
【発明の属する技術分野】
本発明は、光磁気ディスク装置などに装備される浮上式の磁気ヘッド装置に係り、特にフレキシャを確実にしかも簡単に取付面に固定支持できるようにした磁気ヘッド装置に関する。
【０００２】
【従来の技術】
図７は光磁気ディスク装置に使用される磁気ヘッド装置の従来例を示す部分斜視図である。
この磁気ヘッド装置は、ヘッド本体２１とこれを支持する支持部材４０とから構成されている。
ヘッド本体２１は、記録媒体に対向するスライダ２２を有し、このスライダ２２にコア組立体２５が保持されている。ヘッド本体２１の図示下面が記録媒体への対向面、図示上面側が支持部材４０により支持される支持側である。
【０００３】
コア組立体２５はコアおよびコアに巻かれたコイル３０などから構成されており、コア組立体２５の磁気ギャップ（図示しない）がスライダ２２の下面に現れている。
支持部材４０は、ロードビーム４１とアダプタ４３とフレキシャ５０とから構成されている。
ロードビーム４１は板ばね材料により形成され、中間位置から先部にかけて両側部に折り曲げ部４１ａ，４１ａが形成され、この部分が剛性を有する構造となっており、ロードビーム４１の基端部にて所定の弾性押圧力を発揮できるものとなっている。また前記ロードビーム４１には、一対の位置決め孔４２，４２が形成されている。
【０００４】
アダプタ４３は凹状に形成され、立ち上り片４４，４５に位置決め孔４４ａ，４５ａが形成されている。前記位置決め孔４４ａ，４５ａがロードビーム４１の位置決め孔４２，４２に一致した状態で、アダプタ４３がロードビーム４１に溶接される。また、アダプタ４３の底面には段差が形成されており、一段高くなっている底面には、下方へ球面状に突出したピボット４６が形成されている。また一段低くなっている底面は次に説明するフレキシャ５０を接着固定するための取付面４７であり、前記取付面４７には位置決め孔４８が形成されている。
【０００５】
フレキシャ５０は薄い板ばねにより形成されたものであり、位置決め孔５１が前記アダプタ４３の取付面４７に形成された位置決め孔４８と位置合わせされ、溶接または接着などにより固定される。またフレキシャ５０の先部の両側には突片５３，５３が形成され、また中央部には舌片５２が形成されている。前記突片５３，５３が前記スライダ２２の溝２４ａ，２４ｂに挿入され、フレキシャ５０の舌片５２とスライダ２２とが接着などにより固定される。
フレキシャ５０の舌片５２の上面はアダプタ４３のピボット４６に突き当てられ、スライダ２２はフレキシャ５０の弾性により、上記ピボット４６の頂点を支点として姿勢を自由に変えることができるようになっている。
【０００６】
一般に、光磁気ディスクは、ディスク表面を保護するためにカートリッジに収納され、カートリッジが装置内に装填されると、カートリッジに設けられたシャッタが開放してカートリッジの窓部が開口し、図７に示すヘッド本体２１は、前記窓部からカートリッジ内に入り、前記ヘッド本体２１がディスク上面に接触する。カートリッジ内のディスクが回転すると、ディスク上面の空気流によりヘッド本体２１が浮上姿勢となり、スライダ２２の下面に現れている磁気ギャップからディスクに垂直磁界が与えられる。ディスクの逆側からはレーザ光が照射され、光変調または磁界変調により、情報の書き込み動作が行なわれる。
【０００７】
図７に示す従来例では、ロードビーム４１とフレキシャ５０との間に高さ寸法Ｈを有するアダプタ４３が設けられてロードビーム４１からヘッド本体２１までの高さが設定されており、ロードビームがカートリッジの外側に位置している状態で、前記アダプタ４３に支持されたヘッド本体２１が、カートリッジに形成された窓部から、カートリッジ内のディスクに接触できるようになっている。
【０００８】
【発明が解決しようとする課題】
図７に示す磁気ヘッド装置では、ロードビーム４１、アダプタ４３およびフレキシャ５０にそれぞれ位置決め孔が設けられ、この位置決め孔により位置合せされた後、溶接によりロードビーム４１とアダプタ４３とが接合され、アダプタ４３に形成された取付面４７とフレキシャ５０とが接着により固定されていた。
しかし、溶接作業をするには溶接設備が必要となり、また製造工程が複雑になるために生産コストが増大するといった問題点があった。
また、接着剤を使用した接着作業では、接着作業が施された後、接着剤が完全に乾くまで一定時間を要す必要があり生産効率が低下しやすくなっていた。また接着直後の接着剤の硬化歪みなどにより位置ずれが生じやすくなるという問題点もあった。
【０００９】
本発明は上記従来の課題を解決するためのものであり、特にフレキシャの構造を改良して、フレキシャが取付面に確実にしかも容易に固定支持できるようにした磁気ヘッド装置を提供することを目的としている。
【００１０】
【課題を解決するための手段】
本発明は、ロードビームの先端部に、板ばねによって形成されたフレキシャを介して、記録媒体に対向するヘッド本体が支持されている磁気ヘッド装置において、
前記ロードビームの先部には、記録媒体に対して垂直な方向へ折り曲げられた垂直折曲面と前記垂直折曲面から折り曲げられて記録媒体に平行な平行折曲面とが設けられていて、前記平行折曲面の一部分がフレキシャを固定支持するための取付面となっており、
前記フレキシャはロードビームに固定される支持面及びヘッドが取付けられるヘッド取付け面並びに前記支持面と前記ヘッド取付け面を繋ぐ弾性変形可能な腕部を有しており、前記フレキシャの前記支持面には複数の固定爪が設けられて、前記固定爪が前記ロードビームの取付面に掛止されて前記フレキシャが前記ロードビームに固定され、
さらに、前記ロードビームの前記垂直折曲面から前記取付面よりも下方へ延びて前記フレキシャのヘッド取付け面の上面を支持する当接部が設けられており、前記フレキシャに取付けられた前記ヘッド本体が前記当接部の頂点を支点として揺動自在に支持されていることを特徴とするものである。
特に、前記当接部の頂点、ヘッド取付面の重心およびヘッド本体の中心が一直線上に揃えられていることが好ましい。
本発明では前記フレキシャを真上から見たときに、前記固定爪と、フレキシャに固定されたヘッド本体とが重ならない位置に設けられていることが好ましい。
【００１１】
上記において、取付面とフレキシャにそれぞれ位置決め孔が形成されており、前記各位置決め孔が合わされてフレキシャが取付面に位置決めされて固定されることが好ましい。
【００１３】
さらに本発明では、前記フレキシャの前記ヘッド取付面の端部に立ち上り片が形成され、前記ロードビームの端部に形成された突片が、前記ヘッド本体の上面と前記立ち上り片との間に位置することにより前記ヘッド本体の傾き量が規制されることが好ましい。
【００１４】
本発明による磁気ヘッド装置では、フレキシャに複数の固定爪と、好ましくは位置決め孔が設けられており、例えば図１に示すような構造となっている。図に示すフレキシャ８の支持面１７に形成された位置決め孔１９は、取付面１２の位置決め孔１３に位置合せされ、その後支持面１７に形成された固定爪１７ａ，１７ｂ，１７ｂが前記取付面１２上で折り曲げられて掛止され、前記フレキシャ８が取付面１２に固定支持される。このように本発明ではフレキシャ８が取付面１２に容易にしかも確実に固定支持される。また、その後に、固定爪などを取付面１２に樹脂やその他の接着剤で接着することが好ましい。本発明では、前記接着剤が硬化する前に取付面１２とフレキシャ８との間に位置ずれが生じない。
【００１５】
図６に示すように、フレキシャ８の底面に接着固定されたヘッド本体１は、前記ヘッド本体１に最も近い位置にある固定爪１７ａから一定の幅Ｔだけ離れた位置にある。つまり、固定爪１７ａ，１７ｂ，１７ｂと前記ヘッド本体１とが重ならない位置に設けられた状態となっている。従ってフレキシャ８の位置決め孔１９と、取付面１２の位置決め孔１３とが位置合せされた後、前記支持面１７および取付面１２に対して上下から治具などで押圧し、前記固定爪１７ａ，１７ｂ，１７ｂを折り曲げるかしめ作業を行なっても、ヘッド本体１が、前記治具に当たるようなことはない。よって、固定爪１７ａ，１７ｂ，１７ｂの折り曲げ作業が、確実にしかも容易にできるようになる。
【００１６】
さらに本発明では、ロードビームの先部が折り曲げられて段差構造となっており、ロードビームからフレキシャまでの高さを高くしている。また、前記段差の下面がフレキシャを固定支持するための取付面となっており、従って従来のようにアダプタを設ける必要がない。さらに従来のようにアダプタをロードビームに位置合わせして溶接する作業が不必要となる。
【００１７】
【発明の実施の形態】
図１は本発明の実施の形態として光磁気ディスク装置に装備される浮上式の磁気ヘッド装置を示す部分分解斜視図、図２は図１に示すロードビーム７の部分展開図、図３は組み立てられた状態を示す磁気ヘッド装置の平面図、図４は図３に示す磁気ヘッド装置の底面図、図５はフレキシャの展開図、図６はフレキシャおよびフレキシャに固定支持されたヘッド本体の平面図である。
この磁気ヘッド装置は、ヘッド本体１とこれを支持する支持部材２とから構成されている。
【００１８】
ヘッド本体１は、スライダ３と、スライダ３内に埋設されたコア４，５，５（図４参照）と、コイルとで構成されるコア組立体、およびバックプレート６から構成されている。前記スライダ３は例えばチタン酸カルシウム（ＴｉＣａＯ３）などの非磁性セラミック材料により形成されており、図１の図示下側が記録媒体への対向面であり、図示上側が支持部材２により支持される支持側である。
図１に示すスライダ３の裏面側には３つの切欠溝（図示しない）が設けられており、前記切欠溝に、マンガン亜鉛（Ｍｎ―Ｚｎ）フェライトなどの磁性材料製のフロントコア４とサイドコア５，５とがそれぞれ挿嵌され接着されるなどして固定されている。図４に示すように、コア４，５，５の下面はスライダ３の記録媒体対向面と同一面となっており、フロントコア４と、その両側のサイドコア５，５との間が磁気ギャップＧ１，Ｇ２となっている。なお図示されていないがフロントコア４にはコイルが巻かれている。
【００１９】
図１に示すバックプレート６はバックコアとして機能しており、前記コア４，５，５と同様に例えばマンガン亜鉛（Ｍｎ―Ｚｎ）フェライトなどの磁性材料により平板状に形成されている。なお、バックプレート６の下面には渦電流損を抑制するための例えばガラス（ＳｉＯ２）などの非導電材料によって形成された薄い電気絶縁層（図示しない）が形成されている。
フロントコア４のコイルに記録電流が与えられると、コイルからフロントコア４に記録磁界が誘導される。そして磁気ギャップＧ１，Ｇ２を介してフロントコア４とサイドコア５，５との間の洩れ磁界により、記録媒体に垂直磁界が与えられる。記録媒体の下方からはレーザ光のエネルギーが与えられ、磁界変調または光変調により、記録媒体に信号が記録される。
【００２０】
前記支持部材２は、ロードビーム７とフレキシャ８とから構成されている。
ロードビーム７は板ばね材料により形成されており、図１に示すようにロードビーム７の先部は段差構造となっている。
ロードビーム７には、図１の右上側から先部付近にかけて両側に折り曲げ部７ａ，７ａが形成され、この部分が剛性を有する構造となっている。この折り曲げ部７ａ，７ａはロードビーム７のほぼ中間位置まで設けられており、前記折り曲げ部７ａ，７ａの後方の終端から基端部にかけて、前記折り曲げ部７ａ，７ａを有しない板ばね機能部（図示しない）が形成されている。また前記折り曲げ部７ａ，７ａに挟まれた平坦部７ｂは図に示すように、ロードビーム７の先部に向かうに従って徐々に幅寸法が小さくなっている。
【００２１】
前記平坦部７ｂの前端部から下方にしかも記録媒体に対して垂直方向に垂直折曲面９が延びている。この垂直折曲面９は図に示すように長さ（高さ）寸法Ｈを有するものであり、この長さ寸法Ｈが、段差の高さ寸法となっている。また前記垂直折曲面９の底面中央からは前記垂直折曲面９と一体となって記録媒体に対して垂直方向にピボット１０が突き出ている。
このピボット１０は図に示すようにその頂点が円形状となっており、この頂点がフレキシャ８を介してヘッド本体１の上面のほぼ中心部に当接するようになっている。
【００２２】
本発明では前記ピボット１０の形状について何ら限定を与えるものではないが、前記ピボット１０の頂点の形状は、図１に示すような円形状かまたはＶ字形状として、ピボット１０とフレキシャ８との接触面積をできるだけ小さくしておくことが好ましい。このように構成することにより、ヘッド本体１は前記ピボット１０の頂点を支点として揺動自在に支持されるようになる。すなわち、ピボット１０の頂点をできるだけ点に近い形状にすることにより、ヘッド本体１の揺動動作が自在となる。
本発明では前記ピボット１０が垂直折曲面９と一体となって形成されており、前記ピボット１０は平板状で形成されている。このためこのピボット１０がフレキシャ８を介してヘッド本体１に限りなく点に近い部分で当接できるものとなっている。
【００２３】
図１に示すように、前記垂直折曲面９の端部から記録媒体に対して平行に（垂直折曲面９に対して垂直方向に）、しかも平坦部７ｂからＹ方向へ離れる向きで平行折曲面１１が延びている。
前記平行折曲面１１の図示左側には、ロードビーム７の後端部方向に突き出した取付面１２が形成されており、この取付面１２には位置決め孔１３が形成されている。なお、この取付面１２は、フレキシャ８との接合部となる。さらに前記平行折曲面１１の図示右側にはロードビーム７の後端部方向に突き出した突片１４が形成されている。
【００２４】
平行折曲面１１の前端部および取付面１２の後端部（突片１４を除く平行折曲面１１の後端部）には折り曲げ部１１ａ，１１ａが形成されている。この折り曲げ部１１ａ，１１ａが形成されることにより、平行折曲面１１全体が剛性を有する構造となっている。
前記平行折曲面１１には、前記垂直折曲面９と隣接する部分に溝（切欠き）１５が形成されており、この溝１５の形状は、前述したピボット１０の形状と全く同じとなっている。
【００２５】
図２に示すようにロードビーム７は平板から形成される。図２の状態から図示点線部分がプレス加工により折り曲げられ、図１に示すようなロードビーム７が製造される。
また、図２に示すように垂直折曲面９と平行折曲面１１との境目となる点線▲１▼から前記平行折曲面１１側には前記溝１５が形成されているが、この溝１５により離された部分がピボット１０となる。点線▲１▼が図２にて谷折りにて折り曲げられると、前記ピボット１０が垂直折曲面９と一体となって、平行折曲面１１の下方へ突出する。
【００２６】
本発明では、ロードビーム７の先部を段差構造としてロードビーム７からヘッド本体１までの高さを高くしている。従って本発明では、従来のようにアダプタを使用する必要がなくなり、生産コストを低減できる。
また、ロードビーム７の先部の段差はプレス加工により折り曲げられて形成されているため、製造工程が複雑になることがなく、ロードビーム７を簡単に製造できる。
【００２７】
また、図１に示すものでは、溝１５で離された部分がピボット１０となって、垂直折曲面９と一体となって平行折曲面１１よりも下方へ突出しているが、ピボット１０が垂直折曲面９と一体に形成されている部分以外の側方位置にて、平行折曲面１１が、垂直折曲面９から折り曲げられていてもよい。また平行折曲面１１と垂直折曲面９とが別体の板材から形成されて、互いに溶接などで固定されていてもよい。
フレキシャ８は薄い板ばねにより形成され、図１に示すように段差を介して支持面１７と弾性変形可能な細幅の腕部１８とが繋がれており、この腕部１８から前記支持面１７と相対向する側にヘッド取付面１６が形成されている。
【００２８】
図に示すようにヘッド取付面１６の底面にはヘッド本体１が接着固定されている。なお、前記ヘッド本体１の中心と前記ヘッド取付面１６の中心とが一致するように固定されている。
また、前記ヘッド取付面１６の図示右側端部には立ち上り片１６ａが形成されている。フレキシャ８が取付面１２に固定されたときに、前記突片１４が、ヘッド本体１の上面と立ち上り片１６ａとの間に位置し、ヘッド本体１が前記ピボット１０の先端を支点として傾き変位するときに、前記突片１４により、ヘッド本体１の傾き量が規制され、フレキシャ８の腕部１８に過大な曲げ力や捻り力が作用しないようになっている。
【００２９】
支持面１７には、これと一体となって図示上方向に突き出した固定爪１７ａ，１７ｂ，１７ｂが形成されている。また、前記支持面１７には位置決め孔１９が形成されており、この位置決め孔１９はロードビーム７の取付面１２に形成された位置決め孔１３と位置合せされるために設けられている。なお、本発明では前記固定爪１７ａ，１７ｂの形状、位置および個数について何ら限定を与えるものではないが、図１に示すように同一平面上にしかも位置決め孔１９に対して相対向する位置に固定爪１７ａ，１７ｂが設けられ、ロードビーム７の取付面１２に対して両側から固定爪１７ａ，１７ｂが掛止されるような構造とすることが、確実に掛止できるので好ましい。
【００３０】
図５に示すように、フレキシャ８は平板から形成される。図５の状態から図示一点鎖線部分がプレス加工により折り曲げられ、図１に示すようなフレキシャ８が製造される。
図５に示すように、一点鎖線▲３▼の部分から支持面１７側に溝（切欠き）２０が形成されており、この溝２０により離された部分が固定爪１７ａとなっている。一点鎖線▲２▼が谷折りにて折り曲げられ、一点鎖線▲３▼が山折りにて折り曲げられると、フレキシャ８には段差が形成され、さらに前記固定爪１７ａが紙面垂直方向に向けられる。
【００３１】
フレキシャ８がロードビーム７に固定支持されるには、まず、ロードビーム７の取付面１２の位置決め孔１３とフレキシャ８の支持面１７の位置決め孔１９とが位置合せされ、同時にロードビーム７の取付面１２の突片１４が、フレキシャ８のヘッド取付面１６に形成された立ち上り片１６ａの下側に挿入される。このとき、ロードビーム７に形成されたピボット１０の頂点がヘッド取付面１６の中心に当接する。つまり、ピボット１０の頂点、ヘッド取付面１６の中心（重心）およびヘッド本体１のほぼ中心とが一直線上に揃えられる。
そして、フレキシャ８の支持面１７に形成された固定爪１７ａと固定爪１７ｂ，１７ｂとでロードビーム７の取付面１２が挟まれ、固定爪がそれぞれ折り曲げられる。さらに、図３に示すように、折り曲げられた前記固定爪１７ａ，１７ｂ，１７ｂ上およびその周辺に樹脂や接着剤２６が塗布され接着固定される。
【００３２】
このように、本発明では、フレキシャ８に固定爪１７ａ，１７ｂ，１７ｂが形成され、この固定爪１７ａ，１７ｂ，１７ｂが取付面１２に掛止されてかしめされる構造となっているため、フレキシャ８が取付面１２に容易に、しかも確実に固定支持される。また前記フレキシャ８と取付面１２とが固定支持される際、接着剤２６が硬化する前に位置ずれすることがない。また前述したようにロードビーム７も溶接作業がなくても製造できるので、図１に示す磁気ヘッド装置は全く溶接作業なしに製造できるものとなっており、低コスト化を実現できる。
【００３３】
図６は図５に示す状態から折り曲げられて完成したフレキシャ８のヘッド取付面１６の底面に、ヘッド本体１が固定支持された状態を示すを示す平面図である。
図に示すように、ヘッド本体１とこのヘッド本体１に最も近い位置に形成された固定爪１７ａとの間には一定の幅Ｔが設けられている。つまり、固定爪１７ａ，１７ｂ，１７ｂとヘッド本体１とが重ならない位置に設けられた状態となっている。このため、フレキシャ８の支持面１７に形成された位置決め孔１９とロードビーム７の取付面１２に形成された位置決め孔１３とが位置合せされた後、前記支持面１７と取付面１２の上下から治具や工具などの手段により、前記支持面１７と取付面１２とを押圧固定し、固定爪１７ａ，１７ｂ，１７ｂを折り曲げる作業を行なう際に、治具などとヘッド本体１とが接触せず、よってヘッド本体１を損傷することなく、フレキシャ８とロードビーム７との固定作業を行なうことができる。
【００３４】
また、ヘッド本体１をフレキシャ８に接着固定したままの状態で、フレキシャ８をロードビーム７に固定することが可能であるため、予めヘッド本体１と、フレキシャ８のヘッド取付面１６とを正確に位置合わせして接着固定することが可能である。
【００３５】
【発明の効果】
以上詳述した本発明によれば、フレキシャと、ロードビームに設けられた取付面とが、固定爪により固定されるため、接合の際の位置ずれを防止でき、簡単な作業で確実に固定することが可能である。またフレキシャと取付面とを接着剤で固定する際に、接着剤が硬化する以前に接合部に位置ずれが生じるのを防止できる。
【００３６】
また、固定爪とヘッド本体とが、平面にて離れた位置に設けられていると、ヘッド本体を損傷することなく、固定爪を掛止させることができ、また予めヘッド本体とフレキシャとを高精度に位置決めして固定することができる。
【００３７】
さらに、本発明では、ロードビームの先部は下方にしかも記録媒体に対して垂直方向に延びる垂直折曲面と、前記垂直折曲面の端部から記録媒体に対して平行な方向に延びる取付面（平行折曲面）とで構成された段差構造となっているため、従来のアダプタが不要になり、また溶接作業も不要になる。
【図面の簡単な説明】
【図１】本発明の一実施の形態として光磁気ディスク装置に設置される浮上式の磁気ヘッド装置の部分分解斜視図、
【図２】ロードビームの部分展開図、
【図３】組立て完成後の磁気ヘッド装置を示す部分平面図、
【図４】組立て完成後の磁気ヘッド装置を示す部分底面図、
【図５】フレキシャの展開図、
【図６】フレキシャおよびフレキシャに固定支持されたヘッド本体の平面図、
【図７】従来の光磁気ディスク装置に設置される浮上式の磁気ヘッド装置の部分分解斜視図、
【符号の説明】
１  ヘッド本体
２  支持部材
７  ロードビーム
８  フレキシャ
９  垂直折曲面
１０  ピボット
１１  平行折曲面
１２  取付面
１５，２０  溝（切欠き）
１６  ヘッド取付面
１７  支持面
１７ａ，１７ｂ  固定爪
１８  腕部
【図１】
0003615642.tif 000002
【図２】
0003615642.tif 000003
【図３】
0003615642.tif 000004
【図４】
0003615642.tif 000005
【図５】
0003615642.tif 000006
【図６】
0003615642.tif 000007
【図７】
0003615642.tif 000008